【手続補正書】
【提出日】平成29年2月10日(2017.2.10)
【手続補正１】
【補正対象書類名】特許請求の範囲
【補正対象項目名】全文
【補正方法】変更
【補正の内容】
【特許請求の範囲】
【請求項１】
データ処理アプリケーションの実行中に前記データ処理アプリケーションによって提供された情報を受信することであって、前記情報が、前記データ処理アプリケーションのためのデータのソース及び前記データ処理アプリケーションからのデータの宛先の少なくとも一方を示す、ことと、
前記データ処理アプリケーションの実行中に前記情報を動的に解析して、前記データ処理アプリケーションと通信状態にあるキューを識別することと、
前記データ処理アプリケーションの実行中に前記情報を動的に解析して、前記データ処理アプリケーションと前記キューとの関係を識別することであって、前記キューが前記データ処理アプリケーションのための前記データのソースであると識別すること及び前記キューが前記データ処理アプリケーションからの前記データの宛先であると識別することの少なくとも一方を含む、ことと、
を含む、コンピュータ実施方法。
【請求項２】
前記データのソース及び前記データの宛先の少なくとも一方を示す前記情報が前記キューの識別子を含む、請求項１に記載のコンピュータ実施方法。
【請求項３】
前記データ処理アプリケーションの実行中に前記キューのステータスを動的に特定することを含む、請求項１に記載のコンピュータ実施方法。
【請求項４】
前記キューの前記ステータスに基づいて通知を与えることを含む、請求項３に記載のコンピュータ実施方法。
【請求項５】
前記ステータスが、前記キュー内のレコードの数及び前記キューに関連した経過時間の少なくとも一方を含む、請求項３に記載のコンピュータ実施方法。
【請求項６】
前記データ処理アプリケーションのステータスを特定することを含む、請求項１に記載のコンピュータ実施方法。
【請求項７】
前記キューを識別する入力を受信することを含む、請求項１に記載のコンピュータ実施方法。
【請求項８】
前記処理に基づいて及び前記キューを識別する前記入力に基づいて前記データ処理アプリケーションを識別することを含む、請求項７に記載のコンピュータ実施方法。
【請求項９】
前記１つ以上のデータ処理アプリケーションが計算グラフを含む、請求項１に記載のコンピュータ実施方法。
【請求項１０】
前記データ処理アプリケーション、前記キュー、及び前記データ処理アプリケーションと前記キューとの前記関係の視覚表現を生成することを含む、請求項１に記載のコンピュータ実施方法。
【請求項１１】
前記視覚表現をユーザインタフェースに表示することを含む、請求項１０に記載のコンピュータ実施方法。
【請求項１２】
前記視覚表現が前記キューのステータスの表現を含む、請求項１０に記載のコンピュータ実施方法。
【請求項１３】
コンピュータ読み取り可能媒体上に記憶されたソフトウェアであって、
データ処理アプリケーションの実行中に前記データ処理アプリケーションによって提供された情報を受信することであって、前記情報が、前記データ処理アプリケーションのためのデータのソース及び前記データ処理アプリケーションからのデータの宛先の少なくとも一方を示す、ことと、
前記データ処理アプリケーションの実行中に前記情報を動的に解析して、前記データ処理アプリケーションと通信状態にあるキューを識別することと、
前記データ処理アプリケーションの実行中に前記情報を動的に解析して、前記データ処理アプリケーションと前記キューとの関係を識別することであって、前記キューが前記データ処理アプリケーションのための前記データのソースであると識別すること及び前記キューが前記データ処理アプリケーションからの前記データの宛先であると識別することの少なくとも一方を含む、ことと、
をコンピュータシステムに実行させるための命令を含む、ソフトウェア。
【請求項１４】
データ処理アプリケーションの実行中に前記データ処理アプリケーションによって提供された情報を受信するように構成された入力ポートであって、前記情報が、前記データ処理アプリケーションのためのデータのソース及び前記データ処理アプリケーションからのデータの宛先の少なくとも一方を示す、入力ポートと、
少なくとも１つのプロセッサであって、
前記データ処理アプリケーションの実行中に前記情報を動的に解析して、前記データ処理アプリケーションと通信状態にあるキューを識別することと、
前記データ処理アプリケーションの実行中に前記情報を動的に解析して、前記データ処理アプリケーションと前記キューとの関係を識別することであって、前記キューが前記データ処理アプリケーションのための前記データのソースであると識別すること及び前記キューが前記データ処理アプリケーションからの前記データの宛先であると識別することの少なくとも一方を含む、ことと、
を実行するように構成された少なくとも１つのプロセッサと、
を含む、コンピューティングシステム。
【請求項１５】
データ処理アプリケーションの実行中に前記データ処理アプリケーションによって提供された情報を受信するための手段であって、前記情報が、前記データ処理アプリケーションのためのデータのソース及び前記データ処理アプリケーションからのデータの宛先の少なくとも一方を示す、手段と、
前記データ処理アプリケーションの実行中に前記情報を動的に解析して、前記データ処理アプリケーションと通信状態にあるキューを識別するための手段と、
前記データ処理アプリケーションの実行中に前記情報を動的に解析して、前記データ処理アプリケーションと前記キューとの関係を識別することであって、前記キューが前記データ処理アプリケーションのための前記データのソースであると識別すること及び前記キューが前記データ処理アプリケーションからの前記データの宛先であると識別することの少なくとも一方を含むことを行うための手段と、
を含む、コンピューティングシステム。
【請求項１６】
データ処理アプリケーションの実行中に前記データ処理アプリケーションから、前記データ処理アプリケーションとキューとの関係を示す情報を受信することであって、前記関係が、前記キューが前記データ処理アプリケーションのためのデータのソースであること及び前記キューが前記データ処理アプリケーションからのデータの宛先であることの少なくとも一方を含む、ことと、
前記データ処理アプリケーション、前記キュー、及び前記データ処理アプリケーションと前記キューとの前記関係のグラフィック表現を生成することと、
前記データ処理アプリケーションの実行中に前記グラフィック表現をユーザインタフェースに表示することと、
を含む、コンピュータ実施方法。
【請求項１７】
前記グラフィック表現が、前記データ処理アプリケーションを表すための第１のノード、前記キューを表すための第２のノード、及び前記関係を表すための前記データ処理アプリケーションと前記キューとの接続を含む、請求項１６に記載のコンピュータ実施方法。
【請求項１８】
前記第１のノードのユーザ選択に応答して前記データ処理アプリケーションに関する情報を表示することを含む、請求項１７に記載のコンピュータ実施方法。
【請求項１９】
前記第２のノードのユーザ選択に応答して前記キューに関する情報を表示することを含む、請求項１７に記載のコンピュータ実施方法。
【請求項２０】
前記データ処理システムの実行中に前記キューの動的ステータスを動的に特定することを含む、請求項１６に記載のコンピュータ実施方法。
【請求項２１】
前記グラフィック表現が前記キューの前記ステータスの表現を含む、請求項２０に記載のコンピュータ実施方法。
【請求項２２】
前記キューの前記ステータスに基づいて通知を与えることを含む、請求項２０に記載のコンピュータ実施方法。
【請求項２３】
前記キューの前記ステータスが、前記第１のキュー内のレコードの数及び前記第１のキューに関連した経過時間の少なくとも一方を含む、請求項２０に記載のコンピュータ実施方法。
【請求項２４】
前記データ処理アプリケーションの実行中に前記データ処理アプリケーションのステータスを動的に特定することを含む、請求項１６に記載のコンピュータ実施方法。
【請求項２５】
前記グラフィック表現が前記データ処理アプリケーションの前記ステータスの表現を含む、請求項２４に記載のコンピュータ実施方法。
【請求項２６】
複数のデータ処理アプリケーションから、各データ処理アプリケーションと少なくとも１つの対応との関係を示す情報を受信することを含み、
グラフィック表現を生成することが、前記複数のデータ処理アプリケーション、前記複数のキュー、及び前記関係のグラフィック表現を生成することを含む、請求項１６に記載のコンピュータ実施方法。
【請求項２７】
情報を受信することが、
前記データ処理アプリケーションの実行中に前記データ処理アプリケーションによって提供された情報を受信することであって、前記情報が、前記データ処理アプリケーションのためのデータのソース及び前記データ処理アプリケーションからのデータの宛先の少なくとも一方を示す、ことと、
前記データ処理アプリケーションの実行中に前記情報を動的に解析して、前記キュー及び前記関係を識別することと、
を含む、請求項１６に記載のコンピュータ実施方法。
【請求項２８】
コンピュータ読み取り可能媒体上に記憶されたソフトウェアであって、
データ処理アプリケーションの実行中に前記データ処理アプリケーションから、前記データ処理アプリケーションとキューとの関係を示す情報を受信することであって、前記関係が、前記キューが前記データ処理アプリケーションのためのデータのソースであること及び前記キューが前記データ処理アプリケーションからのデータの宛先であることの少なくとも一方を含む、ことと、
前記データ処理アプリケーション、前記キュー、及び前記データ処理アプリケーションと前記キューとの前記関係のグラフィック表現を生成することと、
前記データ処理アプリケーションの実行中に前記グラフィック表現をユーザインタフェースに表示することと、
をコンピューティングシステムに実行させるための命令を含む、ソフトウェア。
【請求項２９】
データ処理アプリケーションの実行中に前記データ処理アプリケーションから、前記データ処理アプリケーションとキューとの関係を示す情報を受信するように構成された入力ポートであって、前記関係が、前記キューが前記データ処理アプリケーションのためのデータのソースであること及び前記キューが前記データ処理アプリケーションからのデータの宛先であることの少なくとも一方を含む、入力ポートと、
プロセッサであって、
前記データ処理アプリケーション、前記キュー、及び前記データ処理アプリケーションと前記キューとの前記関係のグラフィック表現を生成することと、
前記データ処理アプリケーションの実行中に前記グラフィック表現をユーザインタフェースに表示することと、
を実行するように構成されたプロセッサと、
を含む、コンピューティングシステム。
【請求項３０】
データ処理アプリケーションの実行中に前記データ処理アプリケーションから、前記データ処理アプリケーションとキューとの関係を示す情報を受信するための手段であって、前記関係が、前記キューが前記データ処理アプリケーションのためのデータのソースであること及び前記キューが前記データ処理アプリケーションからのデータの宛先であることの少なくとも一方を含む、手段と、
前記データ処理アプリケーション、前記キュー、及び前記データ処理アプリケーションと前記キューとの前記関係のグラフィック表現を生成するための手段と、
前記データ処理アプリケーションの実行中に前記グラフィック表現をユーザインタフェースに表示するための手段と、
を含む、コンピューティングシステム。
【請求項３１】
データ処理アプリケーションの実行中に前記データ処理アプリケーションによって提供された情報を受信することであって、前記情報が、前記データ処理アプリケーションのためのデータのソース及び前記データ処理アプリケーションからのデータの宛先の少なくとも一方を示す、ことと、
前記データ処理アプリケーションの実行中に前記情報を動的に解析して、前記データ処理アプリケーションと通信状態にあって第３のコンピュータシステムをホストとして動作するキューを識別することと、
前記データ処理アプリケーションの実行中に前記情報を動的に解析して、前記データ処理アプリケーションと前記キューとの関係を識別することであって、前記キューが前記データ処理アプリケーションのための前記データのソースであると識別すること及び前記キューが前記データ処理アプリケーションからの前記データの宛先であると識別することの少なくとも一方を含む、ことと、
前記データ処理アプリケーション、前記キュー、及び前記データ処理アプリケーションと前記キューとの前記関係のグラフィック表現を生成することと、
前記データ処理アプリケーションの実行中に前記グラフィック表現をユーザインタフェースに表示することと、
を含む、コンピュータ実施方法。
【請求項３２】
前記データのソース及び前記データの宛先の少なくとも一方を示す前記情報が前記キューの識別子を含む、請求項１４に記載のコンピューティングシステム。
【請求項３３】
前記少なくとも１つのプロセッサが、前記データ処理アプリケーションの実行中に前記キューのステータスを動的に特定するように構成されている、請求項１４に記載のコンピューティングシステム。
【請求項３４】
前記キューの前記ステータスに基づいて通知を与えることを含む、請求項３３に記載のコンピューティングシステム。
【請求項３５】
前記ステータスが、前記キュー内のレコードの数及び前記キューに関連した経過時間の少なくとも一方を含む、請求項３３に記載のコンピューティングシステム。
【請求項３６】
前記少なくとも１つのプロセッサが、前記データ処理アプリケーションのステータスを特定するように構成されている、請求項１４に記載のコンピューティングシステム。
【請求項３７】
前記入力ポートが、前記キューを識別する入力を受信するように構成されている、請求項１４に記載のコンピューティングシステム。
【請求項３８】
前記少なくとも１つのプロセッサが、前記処理に基づいて及び前記キューを識別する前記入力に基づいて前記データ処理アプリケーションを識別するように構成されている、請求項３７に記載のコンピューティングシステム。
【請求項３９】
前記１つ以上のデータ処理アプリケーションが計算グラフを含む、請求項１４に記載のコンピューティングシステム。
【請求項４０】
前記少なくとも１つのプロセッサが、前記データ処理アプリケーション、前記キュー、及び前記データ処理アプリケーションと前記キューとの前記関係の視覚表現を生成するように構成されている、請求項１４に記載のコンピューティングシステム。
【請求項４１】
前記少なくとも１つのプロセッサが、前記視覚表現をユーザインタフェースに表示するように構成されている、請求項４０に記載のコンピューティングシステム。
【請求項４２】
前記視覚表現が前記キューのステータスの表現を含む、請求項４０に記載のコンピューティングシステム。
【請求項４３】
前記データのソース及び前記データの宛先の少なくとも一方を示す前記情報が前記キューの識別子を含む、請求項１３に記載のソフトウェア。
【請求項４４】
前記コンピュータシステムに、前記データ処理アプリケーションの実行中に前記キューのステータスを動的に特定させるための命令を含む、請求項１３に記載のソフトウェア。
【請求項４５】
前記コンピュータシステムに、前記キューの前記ステータスに基づいて通知を与えさせるための命令を含む、請求項４４に記載のソフトウェア。
【請求項４６】
前記ステータスが、前記キュー内のレコードの数及び前記キューに関連した経過時間の少なくとも一方を含む、請求項４４に記載のソフトウェア。
【請求項４７】
前記コンピュータシステムに、前記データ処理アプリケーションのステータスを特定させるための命令を含む、請求項１３に記載のソフトウェア。
【請求項４８】
前記コンピュータシステムに、前記キューを識別する入力を受信させるための命令を含む、請求項１３に記載のソフトウェア。
【請求項４９】
前記コンピュータシステムに、前記処理に基づいて及び前記キューを識別する前記入力に基づいて前記データ処理アプリケーションを識別させるための命令を含む、請求項４８に記載のソフトウェア。
【請求項５０】
前記１つ以上のデータ処理アプリケーションが計算グラフを含む、請求項１３に記載のソフトウェア。
【請求項５１】
前記コンピュータシステムに、前記データ処理アプリケーション、前記キュー、及び前記データ処理アプリケーションと前記キューとの前記関係の視覚表現を生成させるための命令を含む、請求項１３に記載のソフトウェア。
【請求項５２】
前記コンピュータシステムに、前記視覚表現をユーザインタフェースに表示させるための命令を含む、請求項５１に記載のソフトウェア。
【請求項５３】
前記視覚表現が前記キューのステータスの表現を含む、請求項５１に記載のソフトウェア。
【請求項５４】
前記グラフィック表現が、前記データ処理アプリケーションを表すための第１のノード、前記キューを表すための第２のノード、及び前記関係を表すための前記データ処理アプリケーションと前記キューとの接続を含む、請求項２９に記載のコンピューティングシステム。
【請求項５５】
前記プロセッサが、前記第１のノードのユーザ選択に応答して前記データ処理アプリケーションに関する情報を表示するように構成されている、請求項５４に記載のコンピューティングシステム。
【請求項５６】
前記プロセッサが、前記第２のノードのユーザ選択に応答して前記キューに関する情報を表示するように構成されている、請求項５４に記載のコンピューティングシステム。
【請求項５７】
前記プロセッサが、前記データ処理システムの実行中に前記キューの動的ステータスを動的に特定するように構成されている、請求項２９に記載のコンピューティングシステム。
【請求項５８】
前記グラフィック表現が前記キューの前記ステータスの表現を含む、請求項５７に記載のコンピューティングシステム。
【請求項５９】
前記プロセッサが、前記キューの前記ステータスに基づいて通知を与えるように構成されている、請求項５７に記載のコンピューティングシステム。
【請求項６０】
前記キューの前記ステータスが、前記第１のキュー内のレコードの数及び前記第１のキューに関連した経過時間の少なくとも一方を含む、請求項５７に記載のコンピューティングシステム。
【請求項６１】
前記プロセッサが、前記データ処理アプリケーションの実行中に前記データ処理アプリケーションのステータスを動的に特定するように構成されている、請求項２９に記載のコンピューティングシステム。
【請求項６２】
前記グラフィック表現が前記データ処理アプリケーションの前記ステータスの表現を含む、請求項６１に記載のコンピューティングシステム。
【請求項６３】
前記入力ポートが、複数のデータ処理アプリケーションから、各データ処理アプリケーションと少なくとも１つの対応との関係を示す情報を受信するように構成されており、
グラフィック表現を生成することが、前記複数のデータ処理アプリケーション、前記複数のキュー、及び前記関係のグラフィック表現を生成することを含む、請求項２９に記載のコンピューティングシステム。
【請求項６４】
情報を受信することが、
前記データ処理アプリケーションの実行中に前記データ処理アプリケーションによって提供された情報を受信することであって、前記情報が、前記データ処理アプリケーションのためのデータのソース及び前記データ処理アプリケーションからのデータの宛先の少なくとも一方を示す、ことと、
前記データ処理アプリケーションの実行中に前記情報を動的に解析して、前記キュー及び前記関係を識別することと、
を含む、請求項２９に記載のコンピューティングシステム。
【請求項６５】
前記グラフィック表現が、前記データ処理アプリケーションを表すための第１のノード、前記キューを表すための第２のノード、及び前記関係を表すための前記データ処理アプリケーションと前記キューとの接続を含む、請求項２８に記載のソフトウェア。
【請求項６６】
前記コンピューティングシステムに、前記第１のノードのユーザ選択に応答して前記データ処理アプリケーションに関する情報を表示させるための命令を含む、請求項６５に記載のソフトウェア。
【請求項６７】
前記コンピューティングシステムに、前記第２のノードのユーザ選択に応答して前記キューに関する情報を表示させるための命令を含む、請求項６５に記載のソフトウェア。
【請求項６８】
前記コンピューティングシステムに、前記データ処理システムの実行中に前記キューの動的ステータスを動的に特定させるための命令を含む、請求項２８に記載のソフトウェア。
【請求項６９】
前記グラフィック表現が前記キューの前記ステータスの表現を含む、請求項６８に記載のソフトウェア。
【請求項７０】
前記コンピューティングシステムに、前記キューの前記ステータスに基づいて通知を与えさせるための命令を含む、請求項６８に記載のソフトウェア。
【請求項７１】
前記キューの前記ステータスが、前記第１のキュー内のレコードの数及び前記第１のキューに関連した経過時間の少なくとも一方を含む、請求項６８に記載のソフトウェア。
【請求項７２】
前記コンピューティングシステムに、前記データ処理アプリケーションの実行中に前記データ処理アプリケーションのステータスを動的に特定させるための命令を含む、請求項２８に記載のソフトウェア。
【請求項７３】
前記グラフィック表現が前記データ処理アプリケーションの前記ステータスの表現を含む、請求項７２に記載のソフトウェア。
【請求項７４】
前記コンピューティングシステムに、複数のデータ処理アプリケーションから、各データ処理アプリケーションと少なくとも１つの対応との関係を示す情報を受信させるための命令を含み、
グラフィック表現を生成することが、前記複数のデータ処理アプリケーション、前記複数のキュー、及び前記関係のグラフィック表現を生成することを含む、請求項２８に記載のソフトウェア。
【請求項７５】
情報を受信することが、
前記データ処理アプリケーションの実行中に前記データ処理アプリケーションによって提供された情報を受信することであって、前記情報が、前記データ処理アプリケーションのためのデータのソース及び前記データ処理アプリケーションからのデータの宛先の少なくとも一方を示す、ことと、
前記データ処理アプリケーションの実行中に前記情報を動的に解析して、前記キュー及び前記関係を識別することと、
を含む、請求項２８に記載のソフトウェア。